(57)【要約】【課題】調剤精度を向上できる調剤支援システムを提供する。【解決手段】調剤支援システム１は、調剤監査コンピュータ１Ａと、調剤監査コンピュータ１Ａと通信可能な距離センサー２と、バーコードリーダ５と、調剤台３０の平坦な面に載置された支持台１０と、表示装置１２を備える。調剤監査コンピュータ１Ａは、指示液体容積データベース３と、最大最小距離データベース４と、算出部６と、判定部７と、注射器選定部９とを有する。算出部６は、距離センサー２が測定した測定距離と、最大最小距離データベース４が記録した最大距離および最小距離とに基づいて、注射器２１の筒体２２の内部を満たした液体の実測液体容積を算出する。判定部７は、算出部６が算出した実測液体容積と、バーコードリーダ５が読取った薬品情報に対応する薬品情報と関連付けて、指示液体容積データベース３が記録した指示液体容積との間の差分が±５％以内であるか否かを判定する。【選択図】図１
2018149007.tif 000002
【特許請求の範囲】
【請求項１】
距離を測定可能な距離測定部であって、筒先を含み、かつ、該筒先とは反対側に内部と外部を連通する開口部が形成されており、かつ、外側表面に内部の容積を示す目盛が表示された筒体と、該筒体の内部にスライド可能に挿入可能であり、かつ、同筒体の内部への挿入時に前記筒先へ向けられる端部である先端部を含むスライド体とを有する注入吸引器が測定用の位置に配置されたときの同注入吸引器の、同先端部とは反対側であり同開口部から突出した同スライド体の端部である押圧端部と前記距離測定部との間の距離を測定可能であり、かつ、前記測定用の位置から一定の距離離れた位置に配置可能な前記距離測定部と、
製剤の調剤のために必要な液体の容積である指示液体容積を、同製剤の調剤のために使用される薬品に関する情報である薬品情報に関連付けて記録可能な指示液体容積記録部と、
前記注入吸引器が前記測定用の位置に配置されたときであり、かつ、前記スライド体の先端部が最小の目盛に対応する位置に配置されたときの同スライド体の押圧端部と前記距離測定部との間の距離である最大距離と、前記注入吸引器が前記測定用の位置に配置されたときであり、かつ、前記スライド体の先端部が最大の目盛に対応する位置に配置されたときの同スライド体の押圧端部と前記距離測定部との間の距離である最小距離とを、前記注入吸引器に関する情報である注入吸引器情報に関連付けて記録可能な最大最小距離記録部と、
前記薬品情報を読取可能な薬品情報読取部と、
該薬品情報読取部が読取った薬品情報に対応する液体で、前記最大最小距離記録部が記録した前記注入吸引器情報に対応する注入吸引器の筒体の内部を満たした状態における前記押圧端部と前記距離測定部との間の距離であると共に同距離測定部が測定した距離である測定距離と、同注入吸引器に対応する注入吸引器情報と関連付けて前記最大最小距離記録部が記録した前記最大距離および前記最小距離とに基づいて、同液体の容積である実測液体容積を算出可能な算出部と、
該算出部が算出した前記実測液体容積と、前記薬品情報読取部が読取った薬品情報に対応する薬品情報と関連付けて前記指示液体容積記録部が記録した前記指示液体容積との間の差分が所定の範囲内であるか否かを判定可能な判定部とを備える
調剤支援システム。
【請求項２】
前記測定用の位置に配置された前記注入吸引器の長さを測定可能な測長部と、
該測長部が測定した長さを有する注入吸引器に対応する注入吸引器情報を、前記最大最小距離記録部が記録した注入吸引器情報から選定可能な注入吸引器選定部とを備え、
前記算出部は、前記注入吸引器選定部が選定した注入吸引器情報と関連付けて前記最大最小距離記録部が記録した前記最大距離および前記最小距離に基づいて、実測液体容積を算出可能である
請求項１に記載の調剤支援システム。
【請求項３】
前記注入吸引器は、前記開口部の縁から同開口部とは反対方向へ突出したフランジ部を有し、
略平行に前記注入吸引器を載置可能に前記フランジ部の一部を収容可能な溝部が形成された前記測定用の位置を有し、かつ、前記注入吸引器を支持可能であり、かつ、平面形状を有する支持台を備える
請求項１または請求項２に記載の調剤支援システム。
【請求項４】
前記指示液体容積と、前記実測液体容積と、前記判定部の判定結果を表示可能な表示部を備える
請求項１、請求項２または請求項３に記載の調剤支援システム。
【発明の詳細な説明】
【技術分野】
【０００１】
本発明は調剤支援システムに関する。詳しくは、例えば注射剤の調剤を支援する調剤支援システムに係るものである。
【背景技術】
【０００２】
注射剤は、腕や肩など体に注射針を刺して、皮ふの下や血管内に注入する液状の製剤である。
注射剤は、体内に直接注入できるので、内用剤と比べて効き目が早く、量も少なくて済むというメリットがある。
【０００３】
調剤作業においては、液状の薬品、これと混合される希釈液、または固形の薬品を溶解するための溶解液などが入れられた容器から、これら液剤を抜き取ったり、抜き取った液剤を、他の液剤や固形の薬品と混合するために他の容器に注入したりする際に注射器が多用されている。
【０００４】
このような調剤作業において、液剤の抜き取りや液剤の注入は基本的に調剤者の手で行われており、液剤の抜き取り量や注入量の確認は、調剤者が注射器の目盛を読み取ることで行われている。
【０００５】
しかし、注射剤は効き目が強いため、注射剤を調剤する場合には処方箋で指示された量を厳格に守る必要があり、注射器の目盛を調剤者が読み取るだけでは、指示された量を厳格に守る上で限界があった。
【０００６】
そこで、調剤作業を支援する様々な技術が提案されている。
例えば特許文献１には、図  に示すような調剤支援システムが記載されている。特許文献１に記載の調剤支援システム１００は、調剤台１０４と、調剤台１０４の作業面に置かれる、リーダ１１１および電子秤１１２を備える。
【０００７】
また、調剤支援システム１００は、情報処理装置１１３と、調剤台１０４のうち調剤者の視認し易い部位に設置された通知装置１１４と、調剤台１０４のうち調剤者の操作し易い部位に設置された操作入力装置１１５とを備える。
【０００８】
また、固形薬剤や濃厚液剤が入っている供給容器１０６に、溶解剤収容器１０７の溶解剤を注入することで注射剤を調製した後に、供給容器１０６から必要量の注射剤を手動式吸入器具１０８で抜き取る調剤作業を、調剤者が調剤台１０４の上で行う。
【０００９】
また、情報処理装置１１３は、供給容器１０６の初期重量の測定を催促して電子秤１１２の測定値を溶解前重量値としてから溶解を催促する。
また、情報処理装置１１３は、供給容器１０６の溶解剤注入後の重量測定を催促して電子秤１１２の測定値を溶解後重量値とし、その差から溶解剤量計測値を算出する。
【００１０】
また、情報処理装置１１３は、調剤指示データと溶解剤量計測値と薬品マスタの薬剤収容量データとに基づいて抜取目標値を算出する。
通知装置１１４は、抜取目標値を調剤者に提示して注射剤の抜取を催促する。
【００１１】
また、情報処理装置１１３は、注射剤抜取後の供給容器１０６の重量測定を催促して、電子秤１１２の測定値を抜取後重量値とし、溶解後重量値と抜取後重量値との差から抜取量計測値を算出し、抜取量計測値と抜取目標値とを比較して注射剤抜取量の適否を判定する。
【先行技術文献】
【特許文献】
【００１２】
【特許文献１】特許第５７４３３３２号公報
【発明の概要】
【発明が解決しようとする課題】
【００１３】
しかしながら、注射剤の調剤指示内容は、液体の容積すなわちミリリットル単位で表されているため、特許文献１に記載の調剤支援システムのように、ミリリットルとは単位が異なる重量値を測定値とする場合、溶解前重量値と溶解後重量値を測定するために測定作業が少なくとも２回必要であったり、比重が必要であったりするので、調剤された注射剤の量が、許容される範囲を外れて、指示された量と相違してしまうことが多く、調剤精度の向上が要求されていた。
【００１４】
本発明は、以上の点に鑑みて創案されたものであり、調剤精度を向上できる調剤支援システムを提供することを目的とする。
【課題を解決するための手段】
【００１５】
上記の目的を達成するために、本発明の調剤支援システムは、距離を測定可能な距離測定部であって、筒先を含み、かつ、該筒先とは反対側に内部と外部を連通する開口部が形成されており、かつ、外側表面に内部の容積を示す目盛が表示された筒体と、該筒体の内部にスライド可能に挿入可能であり、かつ、同筒体の内部への挿入時に前記筒先へ向けられる端部である先端部を含むスライド体とを有する注入吸引器が測定用の位置に配置されたときの同注入吸引器の、同先端部とは反対側であり同開口部から突出した同スライド体の端部である押圧端部と前記距離測定部との間の距離を測定可能であり、かつ、前記測定用の位置から一定の距離離れた位置に配置可能な前記距離測定部と、製剤の調剤のために必要な液体の容積である指示液体容積を、同製剤の調剤のために使用される薬品に関する情報である薬品情報に関連付けて記録可能な指示液体容積記録部と、前記注入吸引器が前記測定用の位置に配置されたときであり、かつ、前記スライド体の先端部が最小の目盛に対応する位置に配置されたときの同スライド体の押圧端部と前記距離測定部との間の距離である最大距離と、前記注入吸引器が前記測定用の位置に配置されたときであり、かつ、前記スライド体の先端部が最大の目盛に対応する位置に配置されたときの同スライド体の押圧端部と前記距離測定部との間の距離である最小距離とを、前記注入吸引器に関する情報である注入吸引器情報に関連付けて記録可能な最大最小距離記録部と、前記薬品情報を読取可能な薬品情報読取部と、該薬品情報読取部が読取った薬品情報に対応する液体で、前記最大最小距離記録部が記録した前記注入吸引器情報に対応する注入吸引器の筒体の内部を満たした状態における前記押圧端部と前記距離測定部との間の距離であると共に同距離測定部が測定した距離である測定距離と、同注入吸引器に対応する注入吸引器情報と関連付けて前記最大最小距離記録部が記録した前記最大距離および前記最小距離とに基づいて、同液体の容積である実測液体容積を算出可能な算出部と、該算出部が算出した前記実測液体容積と、前記薬品情報読取部が読取った薬品情報に対応する薬品情報と関連付けて前記指示液体容積記録部が記録した前記指示液体容積との間の差分が所定の範囲内であるか否かを判定可能な判定部とを備える。
【００１６】
ここで、製剤の調剤のために必要な液体の容積である指示液体容積を、この製剤の調剤のために使用される薬品に関する情報である薬品情報に関連付けて記録可能な指示液体容積記録部によって、製剤の調剤のために必要な液体例えば薬液や溶解液の、調剤のために必要な容積を把握することができる。
【００１７】
また、薬品情報を読取可能な薬品情報読取部によって、薬品情報の入力ミスを防止することができる。
【００１８】
薬品情報読取部が読取った薬品情報に対応する液体で、最大最小距離記録部が記録した注入吸引器情報に対応する注入吸引器の筒体の内部を満たした状態における押圧端部と距離測定部との間の距離であると共にこの距離測定部が測定した距離である測定距離と、注入吸引器に対応する注入吸引器情報と関連付けて最大最小距離記録部が記録した最大距離および最小距離とに基づいて、この液体の容積である実測液体容積を算出可能な算出部によって、注入吸引器が吸引した、製剤の調剤のために必要な液体の容積を、測定用の位置に配置するだけで算出することができる。
すなわち、製剤を調剤する上で直接的に要求される液体の容積を算出することができ、薬品の比重や重量を利用する必要がない。
【００１９】
また、算出部が算出した実測液体容積と、薬品情報読取部が読取った薬品情報に対応する薬品情報と関連付けて指示液体容積記録部が記録した指示液体容積との間の差分が所定の範囲内であるか否かを判定可能な判定部によって、調剤者が実際に注入吸引器で吸引した液体の容積が、同じ製剤を調剤する上で予め定められた液体の容積から大きく外れていないかを簡単に調べることができる。
【００２０】
また、本発明の調剤支援システムは、測定用の位置に配置された注入吸引器の長さを測定可能な測長部と、測長部が測定した長さを有する注入吸引器に対応する注入吸引器情報を、最大最小距離記録部が記録した注入吸引器情報から選定可能な注入吸引器選定部とを備え、算出部は、注入吸引器選定部が選定した注入吸引器情報と関連付けて最大最小距離記録部が記録した最大距離および最小距離に基づいて、実測液体容積を算出可能である構成とすることができる。
【００２１】
この場合、測定用の位置に注入吸引器を置くだけで、複数の種類がある注入吸引器を自動的に判別できる。
【００２２】
さらに、本発明の調剤支援システムにおいて、注入吸引器は、開口部の縁からこの開口部とは反対方向へ突出したフランジ部を有し、本発明の調剤支援システムは、さらに、略平行に前記注入吸引器を載置可能に前記フランジ部の一部を収容可能な溝部が形成された前記測定用の位置を有し、かつ、前記注入吸引器を支持可能であり、かつ、平面形状を有する支持台を備える構成とすることができる。
【００２３】
この場合、液体の容積の算出を行うときに、毎回同じ溝部に注入吸引器のフランジ部の一部を入れて注入吸引器を載置するようになるので、液体の容積の算出を行うごとに略同じ位置に注入吸引器を配置し易い。
【００２４】
また、本発明の調剤支援システムは、指示液体容積と、実測液体容積と、判定部の判定結果を表示可能な表示部を備える構成とすることができる。
【００２５】
この場合、液体の容積の算出を行うときに、毎回同じ溝部に注入吸引器のフランジ部の一部を入れて注入吸引器を載置するようになるので、液体の容積の算出を行うごとに略同じ位置に注入吸引器を配置し易い。
【発明の効果】
【００２６】
本発明に係る調剤支援システムは、調剤精度を向上できる。
【図面の簡単な説明】
【００２７】
【図１】本発明を適用した調剤支援システムの全体構成の一例を示す概略図である。
【図２】本発明を適用した調剤支援システムの算出部が実測液体容積を算出するときの原理を説明するための概略図である。
【図３】従来の調剤支援システムの構成を示す概略図である。
【発明を実施するための形態】
【００２８】
以下、本発明の実施の形態について図面を参照しながら説明し、本発明の理解に供する。
図１は、本発明を適用した調剤支援システムの全体構成の一例を示す概略図である。ここでは、製剤の一例として注射剤を調剤する場合を説明する。
【００２９】
図１に示す本発明の調剤支援システム１は、調剤監査コンピュータ１Ａを備える。
また、本発明の調剤支援システム１は、調剤監査コンピュータ１Ａと通信可能な距離センサー２を備える。ここで、距離センサー２は、距離測定部の一例である。
【００３０】
また、距離センサー２は、例えば光を照射して距離を測定できるものであるが、距離を測定できるものであればどのような原理に基づくものでもよいことは勿論である。
また、距離センサー２は、一般的な注射器の端部と距離センサー２との間の距離を測定可能である。
【００３１】
本発明の調剤支援システム１において使用される注射器２１は、一般的な注射器である。
すなわち、注射器２１は、筒体２２と、筒体２２の内部にスライド可能に挿入可能なプランジャー２５とを有する。
【００３２】
ここで、注射器は注入吸引器の一例であり、また、プランジャーはスライド体の一例であり押子とも呼ばれる。
【００３３】
また、筒体２２は、注射針２９を取付け可能な筒先２３を有する。また、筒体２２の、筒先２３とは反対側に内部と外部を連通する開口部が形成されている。また、筒体２２の外側表面に内部の容積を示す目盛２４が表示されている。
【００３４】
また、プランジャー２５は先端部２７を有する。先端部２７は、プランジャー２５が筒体２２の内部へ挿入されたときに筒先２３へ向けられる端部である。また、先端部２７は弾性材料で構成されている。
【００３５】
また、プランジャー２５は押圧端部２６を有する。押圧端部２６は、先端部２７とは反対側であり、かつ、筒体２２に形成された開口部から突出した端部である。
また、注射器２１は、筒体２２に形成された開口部の縁から、この開口部とは反対方向へ突出したフランジ部２８を有する。
【００３６】
また、距離センサー２は、測定用の位置に配置された注射器２１の押圧端部２６と距離センサー２との間の距離Ｌを測定可能である。
また、距離センサー２は、測定用の位置から一定の距離離れた位置に配置されている。
【００３７】
すなわち、本発明の調剤支援システム１は、調剤台３０の平坦な面に載置された支持台１０を備えており、また、支持台１０は測定用の位置を有しており、この測定用の位置には溝部１１が形成されている。
【００３８】
また、支持台１０は、注射器２１を支持可能であり、かつ、平面形状を有する。また、支持台１０の測定用の位置に形成された溝部１１は、略平行に注射器２１を支持台１０の上に載置できるよう、注射器２１のフランジ部２８を収容可能である。
【００３９】
また、距離センサー２と測定用の位置との間は決められた距離であり、測定のたびに変動する距離ではない。
また、距離センサー２と測定用の位置との間は、注射器２１のプランジャー２５の先端部２７が最大の目盛２４に対応する位置に配置されたときのプランジャー２５の押圧端部２６が、注射器２１を測定用の位置に配置したときに接触しない程度に離れている。
【００４０】
また、本発明の調剤支援システム１は、指示液体容積データベース３を備える。
具体的には、調剤監査コンピュータ１Ａが指示液体容積データベース３を有する。
【００４１】
ここで、指示液体容積データベース３は、製剤の調剤のために必要な液体の容積である指示液体容積（ミリリットル＝ｍＬ）を、同じ製剤の調剤のために使用される薬品に関する情報である薬品情報に関連付けて記録可能である。
また、指示液体容積データベースは指示液体容積記録部の一例である。
【００４２】
また、「製剤の調剤のために必要な液体」とは、具体的には例えば、製剤の調剤のために使用される液状の薬品すなわち薬液、固形薬品を溶解するための溶解液、あるいは生理食塩水である。
【００４３】
すなわち、指示液体容積が、注射器によって容器から薬液、溶解液あるいは生理食塩水を抜き取るときの抜取目標値に相当する。
【００４４】
また、本発明の調剤支援システム１は、指示液体容積演算部３Ａと調剤情報データベース３Ｂを備える。具体的には、調剤監査コンピュータ１Ａが、指示液体容積演算部３Ａと調剤情報データベース３Ｂを有する。
【００４５】
ここで、指示液体容積演算部３Ａは、医師が処方した処方箋に基づく調剤方法などを含んだ調剤情報に基づいて、指示液体容積（ｍＬ）を演算可能である。
また、調剤情報データベース３Ｂは、調剤情報を記録可能である。
【００４６】
指示液体容積演算部３Ａが演算して得られた指示液体容積は、指示液体容積データベース３が記録可能である。
【００４７】
また、本発明の調剤支援システム１は、最大最小距離データベース４を備える。
具体的には、調剤監査コンピュータ１Ａが最大最小距離データベース４を有する。
【００４８】
ここで、最大最小距離データベース４は、最大距離と最小距離とを、注射器に関する情報である注射器情報に関連付けて記録可能である。
【００４９】
また、「最大距離」は、注射器２１が測定用の位置に配置されたときであり、かつ、プランジャー２５の先端部２７が最小の目盛に対応する位置に配置されたときの、同じプランジャー２５の押圧端部２６と距離センサー２との間を距離センサー２が測定した距離である。
【００５０】
また、「最小距離」は、注射器２１が測定用の位置に配置されたときであり、かつ、プランジャー２５の先端部２７が最大の目盛に対応する位置に配置されたときの、同じプランジャー２５の押圧端部２６と距離センサー２との間を距離センサー２が測定した距離である。
【００５１】
具体的には例えば、最大最小距離データベース４は、最大収容量が１５ｍＬであるＳ型の注射器の最大距離と最小距離を記録したり、最大収容量が３５ｍＬであるＬ型の注射器の最大距離と最小距離を記録したりする。
【００５２】
また、本発明の調剤支援システム１は、薬品が入れられた容器の表面などに貼付された、薬品情報がバーコード化されたバーコードを読取可能なバーコードリーダ５を備える。
また、バーコードリーダ５は調剤監査コンピュータ１Ａと通信可能であり、バーコードリーダ５が読取った薬品情報は、調剤監査コンピュータ１Ａへ送信される。
【００５３】
ここで、バーコードリーダは薬品情報読取部の一例である。また、薬品情報が二次元コード化された二次元コードも、薬品情報読取部が読取可能であることは勿論である。
【００５４】
また、本発明の調剤支援システム１は、算出部６を備える。具体的には、調剤監査コンピュータ１Ａが算出部６を有する。
【００５５】
ここで、算出部６は、距離センサー２が測定した距離である測定距離と、最大最小距離データベース４が記録した最大距離および最小距離とに基づいて、注射器２１の筒体２２の内部を満たした液体の容積である実測液体容積を算出可能である。
【００５６】
すなわち、測定距離は、バーコードリーダ５が読取った薬品情報に対応する液体、例えば液状のＡ薬品であるＡ薬液で、最大最小距離データベース４が記録した注射情報に対応する注射器２１、例えば最大収容量が３５ｍＬであるＬ型の注射器の筒体２２の内部を満たした状態における押圧端部２６と距離センサー２との間の距離であると共に距離センサー２が測定した距離である。
【００５７】
また、最大距離は、Ａ薬液で筒体２２の内部が満たされた注射器２１と同じ注射器、例えば最大収容量が３５ｍＬであるＬ型の注射器の最大距離である。
また、最小距離は、Ａ薬液で筒体２２の内部が満たされた注射器２１と同じ注射器、例えば最大収容量が３５ｍＬであるＬ型の注射器の最小距離である。
【００５８】
図２は、本発明を適用した調剤支援システムの算出部が実測液体容積を算出するときの原理を説明するための概略図である。
【００５９】
図２（ａ）は、注射器が液体を収容していない場合におけるプランジャーの押圧端部と距離センサーとの間の距離を説明するための概略図である。
【００６０】
すなわち、図２（ａ）は、例えば、最大収容量が３５ｍＬであるＬ型の注射器が測定用の位置に配置されたときであり、かつ、プランジャー２５の先端部が最小の目盛に対応する位置に配置されたときの、同じプランジャー２５の押圧端部２６と距離センサー２との間の距離が「Ｌ１」（ｃｍ）であることを示している。
【００６１】
図２（ｂ）は、注射器が最大収容量の液体を収容した場合におけるプランジャーの押圧端部と距離センサーとの間の距離を説明するための概略図である。なお、液体は図示されていない。
【００６２】
すなわち、図２（ｂ）は、例えば、最大収容量が３５ｍＬであるＬ型の注射器が測定用の位置に配置されたときであり、かつ、プランジャー２５の先端部が最大の目盛に対応する位置に配置されたときの、同じプランジャー２５の押圧端部２６と距離センサー２との間の距離が「Ｌ２」（ｃｍ）であることを示している。
【００６３】
図２（ｃ）は、実測液体容積を算出したい液体を注射器が収容した場合におけるプランジャーの押圧端部と距離センサーとの間の距離を説明するための概略図である。なお、液体は図示されていない。
【００６４】
すなわち、図２（ｃ）は、例えば、最大収容量が３５ｍＬであるＬ型の注射器が測定用の位置に配置されたときであり、かつ、Ａ薬液で筒体の内部が満たされた状態におけるプランジャー２５の押圧端部２６と距離センサー２との間の距離が「Ｌ３」（ｃｍ）であることを示している。
【００６５】
また、算出部６は、この場合、具体的には例えば次のような比例式に基づいて、Ａ薬液の実測液体容積（ｍＬ）を算出する。ここで、求めたいＡ薬液の実測液体容積をＸとする。
３５：Ｌ１−Ｌ２＝Ｘ：Ｌ１−Ｌ３
【００６６】
また、本発明の調剤支援システム１は、判定部７を備える。具体的には、調剤監査コンピュータ１Ａが判定部７を有する。
【００６７】
ここで、判定部７は、算出部６が算出した実測液体容積と、バーコードリーダ５が読取った薬品情報すなわちＡ薬品の情報に対応する薬品情報すなわちＡ薬品の情報と関連付けて、指示液体容積データベース３が記録した指示液体容積との間の差分が所定の範囲内、例えば±５％以内であるか否かを判定可能である。
【００６８】
この所定の範囲は、適宜変更可能であることは勿論である。
【００６９】
また、例えばバーコードリーダ５が読取った薬品情報が固形のＢ薬品に関する情報である場合、注射剤を調剤するためにはＢ薬品を溶解しなければならない。
従って、この場合、バーコードリーダ５が読取った薬品情報に対応する液体は、固形のＢ薬品を溶解するためのＢ溶解液であり、また、溶解して得られたＢ薬液である。
【００７０】
あとは、Ａ薬液と同様に、算出部６がＢ溶解液やＢ薬液の実測液体容積を算出する。
そして、判定部７が、Ｂ薬品の情報と関連付けて指示液体容積データベース３が記録した指示液体容積との間の差分が所定の範囲内、例えば±５％以内であるか否かを判定する。
【００７１】
また、本発明の調剤支援システム１は、支持台１０に取付けられた複数の近接センサー８を備える。
また、図１に示すように、近接センサー８は、支持台１０の長手方向に一定の間隔で配置されている。
【００７２】
ここで、近接センサー８は、測定用の位置に配置された注射器２１の長さを測定可能である。また、近接センサー８は測長部の一例である。
【００７３】
また、本発明の調剤支援システム１は、注射器選定部９を備える。具体的には、調剤監査コンピュータ１Ａが注射器選定部９を有する。
【００７４】
ここで、注射器選定部９は、近接センサー８が測定した長さを有する注射器に対応する注射器情報を、最大最小距離データベース４が記録した注射器情報から選定可能である。
【００７５】
また、算出部は、注射器選定部９が選定した注射器情報と関連付けて最大最小距離データベース４が記録した最大距離および最小距離に基づいて、実測液体容積を算出可能である。
【００７６】
このように注射器選定部９は、近接センサー８が測定した長さを有する注射器に対応する注射器情報を、最大最小距離データベース４が記録した注射器情報から選定できるので、測定用の位置すなわち溝部１１に、注射器２１のフランジ部２８の一部を収容させて注射器２１を支持台１０の上に載置しただけで、複数の種類がある注射器を自動的に判別でき、調剤者が注射器を選択する操作を省くことができる。
【００７７】
また、本発明の調剤支援システム１は、表示装置１２を備える。
ここで、表示装置１２は、指示液体容積と、実測液体容積と、判定部７の判定結果を表示可能である。具体的には、表示装置１２が有する液晶表示パネル１３に、指示液体容積と、実測液体容積と、判定結果が表示される。
また、表示装置は表示部の一例である。
【００７８】
図１に示す例では、Ａ薬液の実測液体容積の判定結果が「○」すなわち指示液体容積データベース３が記録した指示液体容積との間の差分が±５％以内であることを示しており、また、Ｂ溶解液の実測液体容積の判定結果が「×」すなわち指示液体容積データベース３が記録した指示液体容積との間の差分が±５％以内ではないことを示している。
【００７９】
また、本発明の調剤支援システムにおいて、必ずしも近接センサーすなわち測長部を備えていなくてもよい。
例えば、調剤者が、スマートフォンと調剤監査コンピュータとの間で無線ＬＡＮ通信例えばＷｉ‐Ｆｉ通信を行い、注射器選定部が、スマートフォンから受信した注射器に関する情報を、最大最小距離データベースが記録した注射器情報から選定するようにすることもできる。
【００８０】
しかし、本発明の調剤支援システムが測長部を備え、注射器選定部すなわち注入吸引器選定部が、測長部が測定した長さを有する注入吸引器に対応する注入吸引器情報を、最大最小距離記録部が記録した注入吸引器情報から選定できるようにすれば、測定用の位置に注入吸引器を置くだけで、複数の種類がある注入吸引器を自動的に判別できるので好ましい。
【００８１】
また、必ずしも支持台に溝部を形成していなくてもよいが、溝部が形成されていれば、液体の容積の算出を行うときに、毎回同じ溝部に注入吸引器のフランジ部の一部を入れて注入吸引器を載置するようになるので、液体の容積の算出を行うごとに略同じ位置に注入吸引器を配置しくなり、好ましい。
【００８２】
また、調剤するために液体を必要とする製剤であれば、どのような製剤の調剤についても、本発明の調剤支援システムを適用することができる。
注射剤の他には例えば、懸濁剤、点眼剤、ローション剤の調剤を支援するために、本発明の調剤支援システムを使用することができる。
【００８３】
また、必ずしも指示液体容積データベースと、指示液体容積演算部と、調剤情報データベースと、最大最小距離データベースと、算出部と、判定部と、注射器選定部は、一つの同じ調剤監査コンピュータに内蔵されていなくてもよく、それぞれ別々の装置に内蔵されて、互いに通信可能な状態としておくこともできる。
【００８４】
以上のように、本発明の調剤支援システムは、薬品情報読取部が読取った薬品情報に対応する液体で、最大最小距離記録部が記録した注入吸引器情報に対応する注入吸引器の筒体の内部を満たした状態における押圧端部と距離測定部との間の距離であると共にこの距離測定部が測定した距離である測定距離と、注入吸引器に対応する注入吸引器情報と関連付けて最大最小距離記録部が記録した最大距離および最小距離とに基づいて、この液体の容積である実測液体容積を算出可能な算出部を備えているので、注入吸引器が吸引した、製剤の調剤のために必要な液体の容積を、測定用の位置に配置するだけで算出することができる。
【００８５】
また、本発明の調剤支援システムは、算出部が算出した実測液体容積と、薬品情報読取部が読取った薬品情報に対応する薬品情報と関連付けて指示液体容積記録部が記録した指示液体容積との間の差分が所定の範囲内であるか否かを判定可能な判定部を備えているので、調剤者が実際に注入吸引器で吸引した液体の容積が、同じ製剤を調剤する上で予め定められた液体の容積から大きく外れていないかを簡単に調べることができる。
【００８６】
従って、製剤を調剤する上で直接的に要求される液体の容積を算出することができ、薬品の比重や重量を利用する必要がないので、本発明の調剤支援システムは、調剤精度を向上できる。
【００８７】
また、抜取目標値を指示する既存のコンピュータシステムに、本発明の調剤支援システムが備える、距離測定部と、最大最小距離記録部と、算出部と、判定部とを組み込むだけで、既存のシステムを調剤精度が向上したシステムとすることができる。
【符号の説明】
【００８８】
１    調剤支援システム
１Ａ  調剤監査コンピュータ
２    距離センサー
３    指示液体容積データベース
３Ａ  指示液体容積演算部
３Ｂ  調剤情報データベース
４    最大最小距離データベース
５    バーコードリーダ
６    算出部
７    判定部
８    近接センサー
９    注射器選定部
１０    支持台
１１    溝部
１２    表示装置
１３    液晶表示パネル
２１    注射器
２２    筒体
２３    筒先
２４    目盛
２５    プランジャー
２６    押圧端部
２７    先端部
２８    フランジ部
２９    注射針
３０    調剤台
Ｌ    押圧端部と距離センサーとの間の距離
【図１】
2018149007.tif 000003
【図２】
2018149007.tif 000004
【図３】
2018149007.tif 000005
【手続補正書】
【提出日】平成30年3月9日(2018.3.9)
【手続補正１】
【補正対象書類名】特許請求の範囲
【補正対象項目名】請求項３
【補正方法】変更
【補正の内容】
【請求項３】
前記注入吸引器は、前記開口部の縁から同開口部とは反対方向へ突出したフランジ部を有し、
前記注入吸引器を載置可能に前記フランジ部の一部を収容可能な溝部が形成された前記測定用の位置を有し、かつ、前記注入吸引器を支持可能であり、かつ、平面形状を有する支持台を備える
請求項１または請求項２に記載の調剤支援システム。